(57)【特許請求の範囲】
【請求項１】
少なくとも一部が埋設され、細長い支柱を支持する細長いコンクリート製のブロック本体を有する支柱基礎用ブロックであって、
前記ブロック本体は、四角柱状で、長手方向に沿って、対峙する第１の側面および第２の側面と、他の対峙する第３の側面および第４の側面と、中心軸に沿って前記支柱を差し込まれるように形成された孔とを有し、
前記第１の側面および前記第２の側面は、前記第３の側面および前記第４の側面を切り欠いて短手方向に延び、棒状部材または板状部材を入れ込める溝であって、前記孔を挟むように形成された溝を含み、
前記第３の側面および前記第４の側面は前記溝同士を接続する溝を含まない平坦である、支柱基礎用ブロック。
【請求項２】
請求項１において、
前記溝は、前記ブロック本体の上半分の範囲に配置されている、支柱基礎用ブロック。
【請求項３】
請求項１または２において、
前記溝の前記水平方向の断面形状は、円形、楕円形および凸多角形のいずれかを半分にした形状である、支柱基礎用ブロック。
【請求項４】
請求項１ないし３のいずれかに記載の支柱基礎用ブロックと、
前記支柱基礎用ブロックにより支持された前記支柱と、
前記支柱にセットされた情報表示板とを有する、情報表示装置。
【請求項５】
請求項１ないし３のいずれかに記載の支柱基礎用ブロックを複数用いて施工された支柱基礎。
【請求項６】
請求項５において、
前記支柱基礎用ブロックは、少なくとも前記溝に達するまで埋設されており、前記溝に入れ込まれるように埋設された棒状部材または板状部材をさらに有する、支柱基礎。
【請求項７】
請求項６において、
複数の前記支柱基礎用ブロックは、前記第３の側面および前記第４の側面が互いに向かい合うように埋設されており、
前記棒状部材または前記板状部材は、隣接する前記支柱基礎用ブロックの前記溝に入れ込まれている棒状部材または板状部材を含む、支柱基礎。
【請求項８】
請求項５ないし７のいずれかに記載の支柱基礎と、
前記支柱基礎の前記複数の支柱基礎用ブロックにより支持される複数の前記支柱と、
前記複数の支柱の間にセットされるフェンス部材とを有する、境界構造物。
【請求項９】
請求項１ないし３のいずれかに記載の支柱基礎用ブロックを用いて支柱基礎を施工する方法であって、
当該方法は、
前記第１の側面の前記溝および前記第２の側面の前記溝を把握することと、
前記ブロック本体を前記地中の所定の位置に設置することと、
前記支柱基礎用ブロックの前記溝に沿って棒状部材または板状部材を入れ込むこととを有する、方法。
【請求項１０】
請求項９において、
前記入れ込むことは、少なくとも前記溝に達するまで埋設した後に、前記溝に沿って棒状部材または板状部材を入れ込むことを含む、方法。
【発明の詳細な説明】
【技術分野】
【０００１】
本発明は、コンクリート製の支柱基礎用ブロックおよび支柱基礎に関するものである。
【背景技術】
【０００２】
特許文献１には、手で持ち運ぶ作業を簡便化した支柱用基礎ブロックを提供することが記載されている。そのため、特許文献１には、基礎ブロックの中心部に縦貫状に形成され、支柱が差し込まれる通し孔の上側孔縁には、指先が引っ掛けられるように内方へ突出した取手を形成し、指先を取手に引っ掛けた状態で基礎ブロックを手で吊り上げて持ち運び可能とすることが記載されている。
【０００３】
特許文献２には、歩道や車道などの側において、通行者の歩行妨害になりにくく、通行者が足を引っ掛けて転倒したりしにくく、車両の走行妨害になりにくく、車両が追突しにくく、また支持台自体が破損しにくくしたフェンス支持台を提供することが記載されている。そのため、特許文献２には、ブロックの平面形状を略四角形とし、この略四角形の何れかの一辺寄りに、隣合うフェンスの片方ずつの支柱の支持穴を二個並列させて、ブロックの上面から下方に向かって設けたものとしていることが記載されている。
【０００４】
さらに、特許文献２には、ブロックの対向する両側面の下部には切込み部を設け、ブロックを運ぶときや、複数個のブロックを積み上げたり、降ろしたりするときに、手指を引っ掛けてブロックを持ち易いようにしていることが記載されている。
【先行技術文献】
【特許文献】
【０００５】
【特許文献１】特開２０００−９６５８１号公報（要約）
【特許文献２】特開２００５−１６０４８号公報（要約、段落番号００１６）
【発明の概要】
【発明が解決しようとする課題】
【０００６】
フェンスや標識などの支柱を支持する支柱基礎用ブロックであって、把握および運搬がしやすい支柱基礎用ブロックが要望されている。従来の支柱基礎用ブロックでは、特許文献２のように、両側面に切込み部（窪み）が設けられており、窪みは、手指を引っ掛けてブロックを持ち運べるように両側面の下部の中央に設けられていた。
【課題を解決するための手段】
【０００７】
本発明の態様の１つは、少なくとも一部が埋設され、細長い支柱を支持する細長いコンクリート製のブロック本体を有する支柱基礎用ブロックである。ブロック本体は、四角柱状で、長手方向に沿って、対峙する第１の側面および第２の側面と、他の対峙する第３の側面および第４の側面と、中心軸に沿って支柱を差し込まれるように形成された孔とを有し、第１の側面および第２の側面は、第３の側面および第４の側面を切り欠いて短手方向に延び、棒状部材または板状部材を入れ込める溝であって、孔を挟むように形成された溝を含み、第３の側面および第４の側面は溝同士を接続する溝を含まない平坦である。
【０００８】
この支柱基礎用ブロックでは、第３の側面を切り欠き、第４の側面に向かって延びる溝が第３の側面よりも第４の側面の側に達している。このため、第１の側面および第２の側面の溝に沿って手指やクランプなどの吊り治具の爪をバランスよく配置しやすい。したがって、ブロック本体の重量やサイズに応じて手作業および吊り治具を用いた作業を選択でき、把握および持ち運びが容易な支柱基礎用ブロックを提供できる。さらに、第１の側面および第２の側面の溝を鉄筋や鉄パイプなどの棒状部材または鉄板などの板状部材を入れ込むスペースとして利用でき、溝に沿って棒状または板状部材を入れ込んだ状態で地中などに埋設することにより、支柱基礎用ブロックの支持力を向上させやすい。
【０００９】
溝は、第４の側面に達し、第４の側面を切り欠いている。溝が第３の側面および第４の側面を切り欠いている（貫通している、刳り貫いている）ため、溝の長さよりも大きな寸法の爪を備えたクランプであっても把握することができる。溝は、ブロック本体の上半分の範囲に配置されていることが望ましい。
【００１０】
ブロック本体は、四角柱状であり、中心軸に沿って前記支柱を差し込まれるように形成された孔を含む。溝の水平方向の断面形状は、円形、楕円形および凸多角形のいずれかを半分にした形状であることが望ましい。
【００１１】
本発明の異なる態様の１つは、上記の支柱基礎用ブロックと、支柱基礎用ブロックにより支持された支柱と、支柱にセットされた情報表示板とを有する情報表示装置である。典型的な情報表示装置は標識である。
【００１２】
本発明のさらに異なる態様の１つは、上記の支柱基礎用ブロックを複数用いて施工された支柱基礎である。支柱基礎用ブロックは、少なくとも溝に達するまで埋設されており、溝に入れ込まれるように埋設された棒状部材または板状部材をさらに有することが望ましい。複数の支柱基礎用ブロックは、第３の側面および第４の側面が互いに向かい合うように埋設されており、棒状部材または板状部材は、隣接する支柱基礎用ブロックの溝に入れ込まれている棒状部材または板状部材を含むことが望ましい。
【００１３】
本発明のさらに異なる態様の１つは、上記の支柱基礎と、支柱基礎の複数の支柱基礎用ブロックにより支持される複数の支柱と、複数の支柱の間にセットされるフェンス部材とを有する境界構造物である。典型的な境界構造物はフェンスである。
【００１４】
本発明のさらに異なる態様の１つは、上記の支柱基礎用ブロックを用いて支柱基礎を施工する方法であって、当該方法は、第１の側面の溝および第２の側面の溝を把握することと、ブロック本体を地中の所定の位置に設置することとを有する。把握することは、クランプ爪により第１の側面の溝および第２の側面の溝を挟持することを含むことが望ましい。
【００１５】
さらに、支柱基礎用ブロックの溝に沿って棒状部材または板状部材を入れ込むことを有することが望ましい。入れ込むことは、少なくとも溝に達するまで埋設した後に、溝に沿って棒状部材または板状部材を入れ込むことを含むことが望ましい。入れ込むことは、鉄筋、鉄パイプおよび鉄板の少なくともいずれかを溝に沿って入れ込むことを含むことが望ましい。設置することは、複数の支柱基礎用ブロックを第３の側面および第４の側面が互いに向かい合うように設置することを含むことが望ましい。さらに、隣接する支柱基礎用ブロックの溝に沿って棒状部材または板状部材を入れ込むことを有することが望ましい。
【図面の簡単な説明】
【００１６】
【図１】本発明に係る支柱基礎用ブロックを用いたフェンスの概要を示す斜視図。
【図２】支柱基礎用ブロックの概要を示す斜視図。
【図３】支柱基礎用ブロックを各方向から見た図であり、（ａ）は平面図、（ｂ）は底面図、（ｃ）は左側面図、（ｄ）は前側面図（正面図）、（ｅ）はｅ−ｅ断面図。
【図４】クランプにより横溝を掴む様子を示す左側面図。
【図５】ブロック本体を地中の所定の位置に設置する様子を示す前側面図。
【図６】支柱基礎用ブロックに支柱を立てて情報表示板をセットした様子を示す断面図。
【図７】複数の支柱基礎用ブロックを左右方向に並べる様子を示す前側面図。
【図８】横溝の近傍まで埋め戻した状態で鉄板を配置する様子を示す前側面図。
【図９】複数の支柱基礎用ブロックに支柱を立ててフェンス部材をセットした様子を示す断面図。
【図１０】フェンスのＸ−Ｘ断面図（図９のＸ−Ｘ断面）。
【図１１】異なるフェンスの断面図。
【図１２】異なる支柱基礎用ブロックの概要を示す斜視図。
【図１３】さらに異なる支柱基礎用ブロックの概要を示す斜視図。
【図１４】さらに異なる支柱基礎用ブロックの概要を示す斜視図。
【図１５】さらに異なる支柱基礎用ブロックの概要を示す斜視図。
【図１６】支柱基礎用ブロックを前方向から見た前側面図。
【発明を実施するための形態】
【００１７】
図１に、本発明に係る支柱基礎用ブロックを用いたフェンスの概要を斜視図により示している。図１では、地面（路面）８０よりも上に表れた部分を実線で、地面８０よりも下、すなわち地中８１に埋設された部分を破線で表している。
【００１８】
フェンス（境界構造物）１００は、複数の支柱基礎用ブロック１を一列に並べて施工した支柱基礎５と、支柱基礎５の複数の支柱基礎用ブロック１により支持された複数の支柱（ポール）５０と、複数の支柱５０の間にセットされたフェンス部材５１とを有する。
【００１９】
それぞれの支柱基礎用ブロック１は、上面１５を含む上部１０ｘを除く下部（埋設部）１０ｙが地中８１に埋設されたコンクリート製のブロック本体１０を有する。ブロック本体１０は、全体が四角柱状（直方体状）であり、前後方向９１の両側面、すなわち前側面（正面、第１の側面）１１および後側面（背面、第２の側面）１２に形成された一組の溝２０を有する。一組の溝２０は、前側面１１に形成された第１の溝２１と、後側面１２に第１の溝２１と前後対称に形成された第２の溝２２とを含む。第１の溝２１および第２の溝２２は、前後方向（第１の方向）９１に直交する左右方向（第２の方向）９２にストレートに延びており、地中８１に埋設されている。
【００２０】
この支柱基礎５は、それぞれの支柱基礎用ブロック１が左右方向９２にほぼ等間隔に並ぶように施工されており、それぞれの第１の溝２１および第２の溝２２も左右方向９２に平行に配列されている。支柱基礎５は、左右方向９２に平行に配列された複数の第１の溝２１および第２の溝２２に入れ込まれた（挿入された、収容された）鉄板（板状部材）３０を有する。
【００２１】
このため、この支柱基礎５は、複数の支柱基礎用ブロック１を前後方向９１に挟むように配置された鉄板３０により、複数の支柱基礎用ブロック１を地中８１で左右方向９２に一体に連結でき、支持力を向上させやすい。したがって、支柱５０および／またはフェンス部材５１への外力（衝撃、風圧）に起因してそれぞれの支柱基礎用ブロック１に作用する前後方向９１の転倒モーメントに対して、左右方向９２に連結された支柱基礎５の全体で対抗する抵抗モーメントを増加させやすく、前後方向９１の転倒に対して抵抗力のある支柱基礎５およびフェンス１００を提供できる。
【００２２】
図２に、支柱基礎用ブロック１の概要を斜視図により示している。支柱基礎用ブロック１のブロック本体１０は、鉛直方向９３に平行に配置された平坦な上面１５および底面１６と、前後方向（第１の方向）９１に平行に配置された対峙（対向）する前側面（第１の側面）１１および後側面（第２の側面）１２と、左右方向（第２の方向）９２に平行に配置された対峙（対向）する左側面（第３の側面）１３および右側面（第４の側面）１４とを含む。
【００２３】
ブロック本体１０は、前側面１１および後側面１２に、左側面１３から右側面１４に向かって左側面１３を切り欠いて延びる一組の溝（貫通溝、横スリット、横溝）２０を有する。一組の溝２０のそれぞれの先端２０ｅは、右側面１４に達している。横溝２１および２２は、上面１５に平行に、前側面１１および後側面１２を左右方向９２に切り欠く（貫通する）ように凹状に形成されており、左右方向９２の断面形状が六角形を半分にした台形状となっている。さらに、ブロック本体１０は、支柱５０を中心軸１０ｚに沿って挿入して支持するために上面１５および底面１６の中央を鉛直方向９３に円形状に貫通するように形成された貫通孔２９と、上面１５および４つの側面１１〜１４を繋ぐ面取り加工が施された斜面１９とを含む。
【００２４】
従来の支柱基礎用ブロックでは、両側面に設けられた窪みに手指を引っ掛けることにより把握、運搬および設置を行っていたが、大型で重い支柱基礎用ブロックをクランプなどの吊り治具を用いて運搬する場合、窪みにクランプの爪が入らないことが多く把握を困難にしていた。また、一般にクランプは、大型化するほど爪の幅が広くなるので、サイズの異なる数種類の支柱基礎用ブロックを設置する場合には、それぞれに対応する複数種類のクランプを必要としていた。一方、クランプを使用せずにワイヤーなどで支柱基礎用ブロックを鉢巻きにして吊り上げる場合には、支柱基礎用ブロックが滑落する危険性があった。
【００２５】
本例の支柱基礎用ブロック１においては、横溝２１および２２が左側面１３から右側面１４に向かってストレートに延びているため、クランプの爪を横溝２１および２２に沿って配置できる。さらに、横溝２１および２２が左側面１３および右側面１４を左右方向９２に貫通しているため、横溝２１および２２の左右方向９２の幅（長さ）２１ｗおよび２２ｗよりも大きな寸法の爪を備えたクランプであっても支柱基礎用ブロック１を把握できる。このため、幅広（大型）のクランプを用意しておくことにより種々のサイズの支柱基礎用ブロック１に柔軟に対応できるので、汎用性が高く、効率的な施工が可能な支柱基礎用ブロック１を提供できる。
【００２６】
さらに、本例の支柱基礎用ブロック１においては、横溝２１および２２がブロック本体１０の上半分の範囲、すなわち底面１６よりも上面１５の側に配置されているため、ブロック本体１０が小型で軽い場合には、上面１５に親指を添えた状態で、横溝２１および２２に沿って人差し指、中指、薬指および小指を一列に配置して把握できる。このため、上面１５に平行に左右方向９２にストレートに延びた横溝２１および２２に沿って、人差し指〜小指が重なり合うことなくバランスよく配置できる。したがって、把握しやすく持ち運びやすい支柱基礎用ブロック１を提供できる。
【００２７】
さらに、本例の支柱基礎用ブロック１においては、横溝２１および２２が左側面１３から右側面１４に向かって、中心軸１０ｚを超えて延びているため、クランプの爪がブロック本体１０の重心を超えて把握できるので、ブロック本体１０を吊り上げたときに回転モーメントが発生することを抑制でき、安定して把握および運搬が可能な支柱基礎用ブロック１を提供できる。
【００２８】
図３に、支柱基礎用ブロック１を各方向から見た図により示しており、（ａ）は平面図、（ｂ）は底面図、（ｃ）は左側面図、（ｄ）は前側面図（正面図）、（ｅ）はｅ−ｅ断面図である。なお、支柱基礎用ブロック１を右方向から見た右側面図は左側面図と同一に表れ、後方向から見た後側面図（背面図）は前側面図と同一に表れる。
【００２９】
支柱基礎用ブロック１のサイズの一例は、鉛直方向９３の寸法（高さ）が４５ｃｍ、底面１６の前後方向９１の寸法（縦幅）が１５ｃｍ、左右方向９２の寸法（横幅）が１５ｃｍである。横溝２１および２２は、左右方向９２の台形断面の上底に相当する底面部２５と、底面部２５と前側面１１および後側面１２とを繋ぐ斜面部２６（２６ａ、２６ｂ）とを含む。底面部２５の高さは３ｃｍ、斜面部２６の高さは１ｃｍである。横溝２１および２２は、上側の斜面部２６ａ（２６）が上面１５から７ｃｍ下がった位置に形成されている。さらに、貫通孔２９は、上部開口２９ａの直径が７ｃｍ、下部開口２９ｂの直径が５ｃｍであり、型枠の抜き勾配が設けられている。
【００３０】
図４〜図６に、支柱基礎用ブロック１を用いて標識２００を施工する方法について示しており、図４はクランプにより横溝２１および２２を掴む様子を示す左側面図、図５はブロック本体１０を地中８１の所定の位置に設置する様子を示す前側面図、図６は支柱基礎用ブロック１に支柱５０を立てて情報表示板５２をセットした様子を示す断面図である。
【００３１】
まず、図４に示すように、トラックの荷台などに載置された支柱基礎用ブロック１を、クランプ４０の爪４１で横溝２１および２２を挟んで掴む（引っ掛ける）ことにより把握する（挟持する）。次に、図５に示すように、把握されたブロック本体１０を掘削された地中８１の所定の位置に設置する。横溝２１および２２が前側面１１および後側面１２を左右方向９２に貫通しているため、幅広（大型）のクランプ４０を用意しておくことにより種々のサイズの支柱基礎用ブロック１に対応できる。このため、大が小を兼ねるように１台のクランプ４０により小型の支柱基礎用ブロック１から大型の支柱基礎用ブロック１までの把握、運搬および設置が可能で、施工効率を向上させやすい。
【００３２】
なお、クランプ４０の代わりにワイヤーを用いて吊り上げる場合には、横溝２１および２２に沿って鉢巻きにすることにより、横溝２１および２２の底面部２５と斜面部２６との境界の角部２７などにワイヤーが引っ掛かり、確実に把握できるため、安全に運搬および設置作業を行うことができる。また、パワーショベルなどの重機を用いてトラックの荷台から積み下ろす際に支柱基礎用ブロック１を傾けた状態で吊り上げる場合であっても、ワイヤーが横溝２１および２２の角部２７に食い込むので、滑りにくく安全に作業を行うことができる。
【００３３】
次に、図６に示すように、ブロック本体１０の上部１０ｘが地面８０からわずかに、本例では地面８０から５ｃｍ程度表れるように、ブロック本体１０の下部（埋設部）１０ｙの周囲を埋め戻し材８５により地中８１に埋設し、支柱基礎５を施工する。さらに、支柱基礎用ブロック１の貫通孔２９に支柱５０を差し込み、貫通孔２９にモルタル（間詰めコンクリート）２９ｃを充填することにより支柱５０を支柱基礎用ブロック１に固定する。さらに、支柱基礎用ブロック１により支持された支柱５０に情報表示板５２をセットすることにより、標識（情報表示装置）２００を施工できる。
【００３４】
すなわち、本例の標識２００は、支柱基礎用ブロック１と、支柱基礎用ブロック１により支持された支柱５０と、支柱５０にセットされた情報表示板５２とを有する。なお、情報表示装置２００は、標識に限定されず、支柱基礎用ブロック１に支持された支柱５０に情報表示板５２をセットして種々の情報を表示するタイプの看板、案内板および電光掲示板などを含む。
【００３５】
図７〜図１０に、複数の支柱基礎用ブロック１を用いてフェンス１００を施工する方法について示しており、図７は複数の支柱基礎用ブロック１を左右方向９２に並べる様子を示す前側面図、図８は横溝２１および２２の近傍まで埋め戻した状態で鉄板３０を配置する様子を示す前側面図、図９は複数の支柱基礎用ブロック１に支柱５０を立ててフェンス部材５１をセットした様子を示す断面図であり、図１０はＸ−Ｘ断面図（図９のＸ−Ｘ断面）である。
【００３６】
まず、図７に示すように、それぞれの支柱基礎用ブロック１を左側面１３および右側面１４が互いに向かい合うように左右方向９２に並べることにより、支柱基礎用ブロック１のそれぞれの横溝２１および２２を左右方向９２に配列する。横溝２１および２２が前側面１１および後側面１２を左右方向９２に凹状に貫通しているため、それぞれの横溝２１および２２に沿って水糸（墨出し線）を張ることにより、それぞれの支柱基礎用ブロック１を位置決めすることもできる。次に、図８に示すように、横溝２１および２２の下側の斜面部２６ｂ程度の高さｈまで埋め戻し材８５により地中８１に埋設し、左右方向９２に配列されたそれぞれの横溝２１および２２に沿って、横溝２１および２２の内部に収まるように鉄板（板状部材）３０を入れ込む（配置）する。
【００３７】
次に、図９に示すように、横溝２１および２２に鉄板３０が入れ込まれた（挿入された、収容された）状態で地中８１に埋設されるまで埋め戻し、支柱基礎５を施工する。さらに、それぞれの支柱基礎用ブロック１の貫通孔２９に支柱５０を挿入して固定し、支柱基礎用ブロック１により支持されたそれぞれの支柱５０の間にフェンス部材５１をセットすることにより、フェンス（境界構造物）１００を施工できる。
【００３８】
すなわち、本例のフェンス１００は、支柱基礎５と、支柱基礎５の複数の支柱基礎用ブロック１により支持された複数の支柱５０と、複数の支柱５０の間にセットされたフェンス部材５１とを有する。なお、境界構造物１００は、土地の境界に設置されるフェンス（柵、塀）に限定されず、道路の境界に設置されるガードレールなどを含む。また、支柱５０およびフェンス部材５１には、アルミ製や木製などの種々の材質および形状のものを採用できる。
【００３９】
一般に、大型の支柱基礎用ブロックを用いれば転倒に対して抵抗力があるが、都市部の狭小な土地において、隣接地の境界にフェンスなどの境界構造物を設置する場合、大型の支柱基礎用ブロックを用いると土地の有効面積が減少するため好ましくない。
【００４０】
本例の支柱基礎５においては、それぞれの支柱基礎用ブロック１の横溝２１および２２に入れ込まれた鉄板３０により、それぞれの支柱基礎用ブロック１を地中８１で左右方向９２に一体に連結できる。このため、それぞれの支柱基礎用ブロック１および／または支柱基礎５の支持力を向上できる。さらに、それぞれの支柱基礎用ブロック１を前後方向９１に転倒させようとする外力に対して、左右方向９２に連結された支柱基礎５の全体で対抗できる。したがって、それぞれの支柱基礎用ブロック１が小型であっても、前後方向９１の転倒に対して抵抗力のある支柱基礎５およびフェンス１００を提供できる。
【００４１】
地中８１に埋設された鉄板３０は、横溝２１および２２の内部に収容されているため、埋め戻し材８５を転圧しても横溝２１および２２の高さよりも下がったり、位置ずれを起こすおそれはない。このため、鉄板３０は、ブロック本体１０の底面１６よりも上面１５に近い位置、すなわち底面１６から離れた位置で地中８１に配置される。したがって、図１０に示すように、底面１６の前辺１６ａおよび後辺１６ｂを支点とする前後方向９１の転倒モーメントＭに対して効果的な抵抗モーメントを作用させやすい。
【００４２】
なお、横溝２１および２２に沿って配置される部材は、溶融亜鉛メッキを施した鉄板３０のような板状部材に限定されず、鉄筋および鉄パイプなどの棒状部材であってもよい。横溝２１および２２に収まり、横溝２１および２２の内部空間を有効に占有できる鉄板３０は、埋め戻し材８５との接触面積を確保しやすく、抵抗モーメントを増加させるのに好適である。
【００４３】
図１１に、異なる複数の支柱基礎用ブロック１ｚを用いて施工されたフェンス１００ｚの概要を断面図により示している。図１１に示すように、横溝２１および２２は、ブロック本体１０の上半分の範囲だけでなく、ブロック本体１０の下半分の範囲に設けられていてもよい。横溝２１および２２がブロック本体１０の上下２段に形成されているので、これらの横溝２１および２２に鉄板３０を入れ込むことにより、転倒モーメントＭに対する抵抗モーメントをいっそう増加させることができる。このように、横溝２０は、ブロック本体１０の対峙する側面１１および１２、または対峙する側面１３および１４のいずれか、あるいは両方に形成されていてもよく、鉛直方向９３に複数段にわたり設けられていてもよい。
【００４４】
図１２に、異なる支柱基礎用ブロック１ａの概要を斜視図により示している。支柱基礎用ブロック１ａのブロック本体１０ａは、前側面１１および後側面１２に、左側面１３から右側面１４に向かって左側面１３を切り欠いて延びる横溝２１ａおよび２２ａを有する。横溝２１ａおよび２２ａのそれぞれの先端２０ｅは、左側面１３よりも右側面１４の側に位置して（達して）いる。このように、横溝２１ａおよび２２ａは、前側面１１および後側面１２を左右方向９２に貫通せずに、それぞれの先端２０ｅが左側面１３よりも右側面１４の側に近接して配置されていてもよい。横溝２１および２２が左右方向９２にストレートに延びているので、手指および／またはクランプによる把握、運搬および設置が容易な支柱基礎用ブロック１ａを提供できる。なお、その他の構成については上記実施形態と共通であるため、共通の符号を付して説明を省略する。以降においても同様である。
【００４５】
図１３に、さらに異なる支柱基礎用ブロック１ｂの概要を斜視図により示している。支柱基礎用ブロック１ｂのブロック本体１０ｂは、前側面１１および後側面１２に、左側面１３から右側面１４に向かって左側面１３を切り欠いて延びる横溝２１ｂおよび２２ｂを有し、横溝２１ｂおよび２２ｂは、前側面１１および後側面１２を左右方向９２に切り欠く（貫通する）ように凹状に形成されており、左右方向９２の断面形状が円形を半分にした半円形状となっている。このように、横溝２０の左右方向９２の断面形状は、円形を半分にした形状の他、楕円形および凸多角形のいずれかを半分にした形状であってもよく、さらに、楕円形、円形および凸多角形のいずれかを任意の直線で分断（分割）した形状であってもよい。
【００４６】
図１４に、さらに異なる支柱基礎用ブロック１ｃの概要を斜視図により示している。支柱基礎用ブロック１ｃのブロック本体１０ｃは、前側面１１および後側面１２に形成された横溝（第１の溝）２１ｃおよび横溝（第２の溝）２２ｃに加えて、左側面１３および右側面１４に形成された横溝（第３の溝）２３ｃおよび横溝（第４の溝）２４ｃを有する。横溝２３ｃおよび２４ｃは、それぞれ、横溝２１ｃおよび２２ｃを繋ぐように、左側面１３および右側面１４を前後方向９１に貫通するように凹状に形成されている。このように、横溝２０は、ブロック本体１０ｃの周囲を連通するように前後左右全ての第１の側面１１〜第４の側面１４に形成されていてもよく、鉛直方向９３に複数段設けられていてもよい。この支柱基礎用ブロック１ｃは、前後方向９１の横溝２１ｃおよび２２ｃと、左右方向９２の横溝２３ｃおよび２４ｃとに鉄板３０などの板状部材を配置することにより、前後方向９１だけでなく左右方向９２からの転倒に対する抵抗力を向上させることができる。したがって、この支柱基礎用ブロック１ｃは、いっそう支持力が高く、前後左右の四方から外力を受けやすい標識（情報表示装置）２００を施工するのに好適である。
【００４７】
図１５に、さらに異なる支柱基礎用ブロック１ｄの概要を斜視図により示している。支柱基礎用ブロック１ｄのブロック本体１０ｄは、全体が四角柱状であり、上面１５に対して鉛直方向９３に突き出た円柱状の突出部１５ａを含む。突出部１５ａは、円形状の上端面１５ｂを含む。たとえば、支柱基礎用ブロックに照明灯などの支柱を差し込む用途においては、複数の支柱基礎用ブロックを一列に並べた場合に、地面８０よりも上に表れるブロック本体の向きを揃えることが要望される。
【００４８】
本例の支柱基礎用ブロック１ｄにおいては、突出部１５ａが円形状の上端面１５ｂを備えているため、形状に方向性がない。このため、突出部１５ａのみが地面８０よりも上に表れるように上面１５を地中８１に埋設して用いることにより、複数の支柱基礎用ブロック１ｄの地表に表れるブロック本体１０ｄの向きをストレートに揃えることができる。さらに、地中８１に埋設されたブロック本体１０ｄが土圧などにより若干傾いたとしても、地表に表れる上端面１５ｂが円形状であるため、位置や向きのずれを目立たないようにでき、一直線に整列された外観の支柱基礎および／または照明灯を提供できる。
【００４９】
図１６に、新規なデザインの支柱基礎用ブロックを前方向から見た前側面図（正面図）により示しており、（ａ）は支柱基礎用ブロック１の新規なデザイン部分である横溝２１を実線で、その他の部分を破線で表した図、（ｂ）は支柱基礎用ブロック１ａの新規なデザイン部分である横溝２１ａを実線で、その他の部分を破線で表した図、（ｃ）は支柱基礎用ブロック１ｂの新規なデザイン部分である横溝２１ｂを実線で、その他の部分を破線で表した図、（ｄ）は支柱基礎用ブロック１ｃの新規なデザイン部分である横溝２１ｃを実線で、その他の部分を破線で表した図である。なお、支柱基礎用ブロック１、１ｂおよび１ｃを後方向から見た後側面図（背面図）は各々の前側面図と同一に表れ、支柱基礎用ブロック１ａを後方向から見た後側面図（背面図）は前側面図と対称に表れる。
【００５０】
なお、ブロック本体１０（１０ａ、１０ｂ、１０ｃ、１０ｄ）は、全体が四角柱状に限定されず、対峙する第１の側面１１および第２の側面１２と、他の対峙する第３の側面１３および第４の側面１４とを含む形状、例えば八角柱状などであってもよい。また、支柱５０を差し込む孔２９は、上面１５および底面１６を貫通しているものに限定されず、非貫通であってもよく、さらに、支柱５０を挿入して支持可能な形状のものを含む。たとえば、ブロック本体１０の左側面１３および／または右側面１４に、上面１５から底面１６に向かって鉛直方向９３に延びる溝（縦溝、縦スリット）を形成し、同一形状の２つのブロック本体１０の縦溝同士を組み合わせて形成した孔に支柱５０を差し込み支持することも可能である。
【符号の説明】
【００５１】
１、１ａ、１ｂ、１ｃ、１ｄ  支柱基礎用ブロック
１０、１０ａ、１０ｂ、１０ｃ、１０ｄ  ブロック本体
２０  溝（貫通溝、横スリット、横溝）
【図１】
0005769643.tif 000002
【図２】
0005769643.tif 000003
【図３】
0005769643.tif 000004
【図４】
0005769643.tif 000005
【図５】
0005769643.tif 000006
【図６】
0005769643.tif 000007
【図７】
0005769643.tif 000008
【図８】
0005769643.tif 000009
【図９】
0005769643.tif 000010
【図１０】
0005769643.tif 000011
【図１１】
0005769643.tif 000012
【図１２】
0005769643.tif 000013
【図１３】
0005769643.tif 000014
【図１４】
0005769643.tif 000015
【図１５】
0005769643.tif 000016
【図１６】
0005769643.tif 000017